(57)【特許請求の範囲】
【請求項１】
車両内の車両シート（１）用の調整ユニット（１’）であって、
前記調整ユニット（１’）は前記車両の進行方向（１００）に沿って前記車両シート（１）を調整するシート長さ調整機構を含み、
前記シート長さ調整機構は、前記車両の前記進行方向（１００）に直交する短手方向（１０１）まわりに回転可能に取り付けられた第１揺動子（３１）を含み、
前記調整ユニット（１’）は、前記車両シート（１）の前部品（２０）の傾斜を調整するシート表面傾斜調整機構をさらに含み、
前記シート表面傾斜調整機構は、前記車両の進行方向（１００）に直交する短手方向（１０１）まわりに回転可能に取り付けられた第２揺動子（２４）を含み、
前記第２揺動子（２４）の前端が、前記前部品（２０）の下方にある案内スロットの中を長手方向に変位可能な態様で案内される調整ユニット（１’）。
【請求項２】
前記第１揺動子（３１）の前端が前記車両シート（１）のシート表面に回転ヒンジの態様で作用し、
前記第１揺動子（３１）の後端が前記車両シート（１）の車体備え付け基礎構造物上の回転ヒンジの態様で作用する請求項１に記載の調整ユニット（１’）。
【請求項３】
前記調整ユニット（１’）は、前記車両シート（１）が前記第１揺動子（３１）の長さ変化により及び／又は前記第１揺動子（３１）の配向角度変化により調整される態様に構成される請求項２に記載の調整ユニット（１’）。
【請求項４】
前記第１揺動子（３１）は前記長さ変化のためのシャフト駆動器又はピストン・シリンダ駆動器を含む請求項３に記載の調整ユニット（１’）。
【請求項５】
前記シート表面傾斜調整機構は、前記前部品（２０）の傾斜の調整がシャフト（２６）の長さ変化により及び／若しくは前記シャフト（２６）の長手方向の動きにより並びに／又は前記第２揺動子（２４）の回転により行われる態様に構成される請求項４に記載の調整ユニット（１’）。
【請求項６】
請求項１から５のいずれか一項に記載の調整ユニット（１’）を有する車両シート（１）。
【請求項７】
前記車両シート（１）のバックレスト（３）の傾斜を調整するバックレスト傾斜調整機構をさらに含む請求項１に記載の調整ユニット（１’）。
【請求項８】
前記バックレスト（３）はバックレスト主要部品（３３）及びバックレスト上側部品（３４）を含む請求項７に記載の調整ユニット（１’）。
【請求項９】
前記バックレスト主要部品（３３）と前記バックレスト上側部品（３４）とは、共通枢動軸（３５）を介した回転ヒンジの態様で互いに接続される請求項８に記載の調整ユニット（１’）。
【発明の詳細な説明】
【技術分野】
【０００１】
本発明は、車両シート用のシート長さ調整機構に関する。
【背景技術】
【０００２】
車両のシートを、シート長さ調整機構を用いて進行方向に調整可能に設計することが先行技術により一般に知られている。慣例的に、かかるシート長さ調整機構はレールシステムを含む。このレールシステムは、車両フロア上を水平方向に延び又は一定角度だけ上昇若しくは下降して前方に延び、かつ、シート備え付け上側レール及び車体備え付け下側レールからなる。上側レールと下側レールとは、球状体又は転動体によって互いに変位可能に取り付けられる。ロックユニットによって車両シートが確実に、所望の使用位置にロックされる。かかる車両シートはさらに、上側レールと車両シートの垂直シート表面との間に、シート表面の傾斜調整を許容するシート表面傾斜調整器を有する。
【０００３】
レールシステムに基づくシート長さ調整機構の欠点は、平坦な下層表面が必要とされることにある。したがって、特に後部シートにとっては、構造空間の点でコンパクトな態様でシート長さ調整器を統合することが可能とはいえない。
【先行技術文献】
【特許文献】
【０００４】
【特許文献１】独国特許出願公開第１９９４３５７３（Ａ１）号明細書
【特許文献２】米国特許第２，９６２，０８４号明細書
【特許文献３】独国実用新案第２０２００４０２０６５７（Ｕ１）号明細書
【特許文献４】仏国特許出願公開第２７６１８３３（Ａ１）号明細書
【発明の概要】
【発明が解決しようとする課題】
【０００５】
本発明の課題は、車両フロア上を水平方向に延び又は一定角度だけ上昇若しくは下降して前方に延びるレールシステムを必要としないシート長さ調整機構を与えることにある。
【課題を解決するための手段】
【０００６】
本課題は、車両シート用のシート長さ調整機構であって、車両の進行方向に直交する短手方向まわりに回転可能に取り付けられた第１揺動子を含むシート長さ調整機構によって解決される。第１揺動子の前端が、車両シートのシート表面下方の回転ヒンジの態様で作用するのが好ましい一方、第１揺動子の後端が、車両シートの車体備え付け基礎構造物上に回転ヒンジの態様で作用するのが好ましい。車両シートは、第１揺動子の長さ変化により及び／又は第１揺動子の配向角度変化により調整される。揺動子が、長さ変化のためのシャフト駆動器又はピストン・シリンダ駆動器を含むことが考えられる。本発明のさらなる主題は、本発明に係るシート長さ調整機構を有する車両シートである。
【０００７】
本発明のさらなる主題又は好ましい実施形態は、車両シートのシート表面用のシート表面傾斜調整装置である。その傾斜調整機構は、車両の進行方向に直交する短手方向まわりに回転可能に取り付けられた第２揺動子を含む。車両シートの少なくとも前部品の傾斜調整は、シャフトの長さ変化により及び／若しくはシャフトの長手方向の動きにより並びに／又は第２揺動子の回転により行われる。第２揺動子の前端が、特にシート表面の下方にある案内スロットの中を、長手方向に変位可能な態様で案内される。本発明のさらなる主題は、本発明に係る傾斜調整機構を有する車両シートである。
【０００８】
図面により及び当該図面を参照しての好ましい実施形態の説明により、本発明のさらなる詳細、特徴及び利点が明らかとなる。ここで図面は、本発明の典型的な実施形態の単なる例示であって、本発明の本質的な概念を制限するものではない。
【図面の簡単な説明】
【０００９】
様々な図面において、同じ部品は、常に同じ参照番号が付されているため、一般には各例において一回参照され又は一回言及される。
【００１０】
【図１Ａ】自動車用の車両シート１の模式的斜視図を例示する。
【図１Ｂ】自動車用の車両シート１の模式的斜視図を例示する。
【図２Ａ】本発明に係る車両シート１の側面図を例示する。
【図２Ｂ】本発明に係る車両シート１の側面図を例示する。
【図２Ｃ】本発明に係る車両シート１の側面図を例示する。
【図２Ｄ】本発明に係る車両シート１の側面図を例示する。
【図２Ｅ】本発明に係る車両シート１の側面図を例示する。
【図３】車両基体７に締結された保持クランプ５１の模式的な詳細図を例示する。
【図４】車両シート１を車両に取り付ける方法を例示する。
【発明を実施するための形態】
【００１１】
図１Ａ及び１Ｂは、自動車用の車両シート１の模式的斜視図を例示する。特に、ここでは自動車の車両後部の車両シート１が対象となる。車両シート１はシート部品２及びバックレスト３を含む。シート部品２は、車両乗員のためのシート表面を画定し、かつ、前部品２０及び主要部品２１を含む。主要部品２１は、回転ヒンジの態様で第１揺動子３１に取り付けられる。前部品２０の下側側部がスロット付きガイド２３を有する。スロット付きガイド２３の中に第２揺動子２４の第１端が、進行方向１００に直交する短手方向１０１に沿って延びる短手軸まわりの回転ヒンジの態様で取り付けられる。その第１端は、スロット付きガイド２３に進行方向１００において長手方向に変位可能に取り付けられる。第２揺動子２４の第２端は、車両フロアに締結された保持器２５に回転ヒンジの態様で接続される。さらに、第２揺動子２４には、シャフト２６の第１端が回転可能に接続される。
【００１２】
車両シート１の主要部品２１は、車両シート１の車体備え付け基礎構造物４０に第１揺動子３１を介して締結される。第１揺動子３１の第１端が主要部品２１に回転可能に接続される一方、第１揺動子３１の第２端は基礎構造物４０に回転可能に締結される。第１揺動子３１は好ましくは、例えばシリンダ・ピストンガイド又はシャフト駆動器を介して第１揺動子３１の長さを調整する長さ調整ユニットを含む。したがって、第１揺動子３１の長さの変化が、シート部品２の進行方向１００の動きをもたらすので、第１揺動子３１は、車両シート１用のシート長さ調整機構の一部をなす。さらに、基礎構造物４０に対する第１揺動子３１の角度は好ましくは駆動器３７を介して可変なので、第１揺動子３１の角度変化を介してシート部品２の高さを変えることができる。したがって、第１揺動子３１はまた、車両シート１用の高さ調整機構の一部をなすのが好ましい。
【００１３】
基礎構造物４０に対する第２揺動子２４の位置は、追加駆動器３２を介して変えることができる。この態様によって前部品２０の傾斜を変えることができる。さらには、シート部品２のシート表面の傾斜も変化する。したがって、駆動器３２及びシャフト２６は、車両シート１用のシート表面傾斜調整機構の一部をなす。
【００１４】
車両シート１はさらに、バックレスト傾斜調整機構を含む。バックレスト傾斜調整機構は第４揺動子５０を含む。第４揺動子５０の第１端が回転ヒンジの態様でバックレスト３に接続され、かつ、第４揺動子５０の第２端が回転ヒンジの態様で車体備え付けの保持クランプ５１に接続される。第４揺動子５０の第１端は、調整ユニット５２を介して、特に波打ち機構又は掛かり爪式調整器を介して、回転軸５４まわりの回転ヒンジの態様でバックレスト３に接続される。ここで調整ユニット５２は、バックレスト３と第４揺動子５０とがなす角度の変化を許容する。その結果、バックレスト３の傾斜が変化する。第４揺動子５０の第２端は、保持クランプ５１のスロット付きガイド５３に締結されるのが好ましい。調整ユニット５２は、駆動器を有する結果、バックレスト傾斜のモーター支援調整が可能とされることが好ましい。
【００１５】
車両シート１のバックレスト３は、バックレスト主要部品３３及びバックレスト上側部品３４を含むのが好ましい。バックレスト主要部品３３とバックレスト上側部品３４とは、共通第２枢動軸３５を介した回転ヒンジの態様で互いに接続される。第２枢動軸３５は短手方向１０１と平行に延びる。バックレスト主要部品３３とバックレスト上側部品３４とは、特に追加調整ユニット３６により、追加調整ユニット３６の調整がバックレスト主要部品３３とバックレスト上側部品３４とが第２枢動軸３５まわりになす角度を変化させる態様で、第２枢動軸３５の領域において互いに結合される。追加調整ユニット３６は特に、モーター駆動波打ち機構又はモーター駆動掛かり爪式調整器を含む。追加調整ユニット３６は特に、バックレストの曲率調整の一部をなす。ヘッドレスト４が、車両シート１の、特にバックレスト上側部品３４の上側端に接続される。この目的のため、ヘッドレスト４の２つの保持ロッド５が、バックレスト３の案内軸受筒６の中に締結されるのが好ましい。ヘッドレスト４は特に、案内軸受筒６の中に高さ調整可能な態様で設けられるので、案内軸受筒６は特に、ヘッドレスト高さ調整器の一部をなす。
【００１６】
図２Ａから２Ｅは、本発明に係る車両シート１の側面図を例示する。車両シート１は異なる位置に配列されている。図２Ａは車両シート１の開始位置を例示する。図２Ｂでは、バックレスト３が、バックレスト傾斜調整機構によって、開始位置に対して前方に枢動した位置までシフトされる。図２Ｃでは、バックレスト３が、バックレスト傾斜調整機構によって、開始位置に対して後方に枢動した位置までシフトされる。図２Ｄでは、シート部品２が、シート長さ調整機構によって、開始位置に対して前方にシフトした位置までシフトされる。その結果、同時に、開始位置に対するバックレスト主要部品３３の傾斜角度も変化している。バックレスト主要部品３３は平坦配向にある。バックレスト上側部品３４は開始位置のままなので、シート部品２を前方にシフトさせることによって、バックレストの曲率又はバックレスト３の外形もまた変化する。図２Ｅでは、バックレスト上側部品３４は、バックレストの曲率が調整されることによる、開始位置に対する後方枢動位置にある。その結果、開始位置から既知のバックレストの曲率又はバックレスト３の外形が回復される。さらに、バックレスト上側部品３４の角度位置の変化により、ヘッドレスト４の配向もそれに対応して変化する。
【００１７】
図３は、車両基体７に締結された保持クランプ５１の模式的な詳細図を例示する。この図では、一側が開放されかつ第４揺動子５０の第２端が中で動くスロット付きガイド５３をはっきりと見ることができる。
【００１８】
図４は、車両シート１を車両に取り付ける方法を例示する。第１ステップにおいてまず、バックレスト３が前方にシフトされた構成で車両シート１が与えられ、引き続いての第２ステップで車両シート１は基礎構造物４０上に締結される。引き続いての第３ステップにおいて、バックレスト３は、枢動の動き８の範囲内において後方に枢動され、ひいては第４揺動子５０の第２端に配置されたボルト５５が、一側が開放されたスロット付きガイド５３の中に係合する。引き続いて車両シート１が固定される。
【符号の説明】
【００１９】
１  車両シート
２  シート部品
３  バックレスト
４  ヘッドレスト
５  保持ロッド
６  案内軸受筒
７  車両基体
８  枢動の動き
２０  前部品
２１  主要部品
２３  スロット付きガイド
２４  第２揺動子
２５  保持器
２６  シャフト
３１  第１揺動子
３２  駆動器
３３  バックレスト主要部品
３４  バックレスト上側部品
３５  第２枢動軸
３６  追加調整ユニット
３７  シャフト駆動器
４０  基礎構造物
４１  制御ボックス
５０  第４揺動子
５１  保持クランプ
５２  調整ユニット
５３  追加スロット付きガイド
５４  回転軸
５５  ボルト
１００  進行方向
１０１  短手方向
【図１Ａ】
0005957598.tif 000002
【図１Ｂ】
0005957598.tif 000003
【図２Ａ】
0005957598.tif 000004
【図２Ｂ】
0005957598.tif 000005
【図２Ｃ】
0005957598.tif 000006
【図２Ｄ】
0005957598.tif 000007
【図２Ｅ】
0005957598.tif 000008
【図３】
0005957598.tif 000009
【図４】
0005957598.tif 000010